(57)【要約】【課題】  有害獣に効率的に電撃を与えて確実に捕殺し、安全に駆除することができる有害獣捕獲装置および捕獲方法を提供する。【解決手段】  正または負の電極となる導電性床からなる有害獣の進入場（Ａ）、（Ａ）の外縁に配設された餌入り容器からなる餌場（Ｂ）、負または正の電極となる電気銛（Ｃ）、および通電設備（Ｄ）を備え、有害獣が（Ａ）に進入して（Ｂ）の餌を摂取する際に（Ｃ）を有害獣の身体標的に撃ち込み通電設備（Ｄ）により通電することを特徴とする、電撃による有害獣捕獲装置；並びに有害獣の捕獲方法。【選択図】  図１
2019135955.tif 000002
【特許請求の範囲】
【請求項１】
正または負の電極となる導電性床からなる有害獣の進入場（Ａ）、（Ａ）の外縁に配設された餌入り容器からなる餌場（Ｂ）、負または正の電極となる電気銛（Ｃ）、および通電設備（Ｄ）を備え、有害獣が（Ａ）に進入して（Ｂ）の餌を摂取する際に（Ｃ）を有害獣の身体標的に撃ち込み通電設備（Ｄ）により通電することを特徴とする、電撃による有害獣捕獲装置。
【請求項２】
導電性床が、有害獣の足部が入り込む格子幅の網からなる請求項１記載の捕獲装置。  
【請求項３】
進入場（Ａ）が、さらに泥水で覆われたぬた場である請求項１または２記載の捕獲装置。
【請求項４】
餌が、非水溶性餌および／または水非分散性餌である請求項１〜３のいずれか記載の捕獲装置。
【請求項５】
非水溶性餌および／または水非分散性餌が、さらに低級アルコールおよび／または有害獣誘引剤を含有してなる請求項４記載の捕獲装置。
【請求項６】
電気銛（Ｃ）が、餌を摂取する有害獣の接近の感知に伴い有害獣の身体標的に向けて撃ち込まれる手段を備えたものである請求項１〜５のいずれか記載の捕獲装置。
【請求項７】
有害獣の接近の感知が、監視カメラ（Ｅ）による請求項６記載の捕獲装置。
【請求項８】
監視カメラ（Ｅ）が、有害獣の身体標的を画像認識できる赤外線カメラまたは暗視カメラである請求項７記載の捕獲装置。
【請求項９】
通電設備（Ｄ）による通電が、２５〜１５０ｍＡの電流である請求項１〜８のいずれか記載の捕獲装置。
【請求項１０】
正または負の電極となる導電性床からなる有害獣の進入場（Ａ）、（Ａ）の外縁に配設された餌入り容器からなる餌場（Ｂ）、負または正の電極となる電気銛（Ｃ）、および通電設備（Ｄ）を備え、有害獣が（Ａ）に進入して（Ｂ）の餌を摂取する際に（Ｃ）を有害獣の身体標的に撃ち込み通電設備（Ｄ）により通電することを特徴とする、電撃による有害獣の捕獲方法。
【請求項１１】
導電性床が、有害獣の足部が入り込む格子幅の網からなり、有害獣が進入場（Ａ）に進入して餌場（Ｂ）の餌を摂取する際に電気銛（Ｃ）を有害獣の身体標的に撃ち込むとともに、さらに導電性床の網で有害獣の足部を拘束した後に通電設備（Ｄ）により通電することを特徴とする、請求項１０記載の捕獲方法。
【発明の詳細な説明】
【技術分野】
【０００１】
本発明は有害獣捕獲装置に関する。さらに詳しくは、有害獣に効率的に電撃を与えて確実に捕殺し、安全に駆除することができる有害獣捕獲装置に関する。
【背景技術】
【０００２】
近年、イノシシ、シカ、サル、鼠等の有害獣により田畑や家庭菜園などの農作物が食い荒らされるという被害が深刻化している。このような状況を踏まえて、従来電撃を用いた有害獣の種々の侵害防止技術が開示されている。該技術としては、野菜・果実園・植林地等を囲む柵に裸電線を張り巡らせた野獣電撃用電気柵（たとえば、特許文献１）、有害獣の侵入を防止する電気柵の導電部に有害獣が接触したときにだけ衝撃高圧を印加して有害獣を感電させる電気柵用衝撃高圧発生装置（たとえば、特許文献２）、高電圧を印加するための電極が露出した状態で設けられている鼠駆除用電撃シート（たとえば、特許文献３）等が知られている。
【先行技術文献】
【特許文献】
【０００３】
【特許文献１】特開２０１１−１６７１０４
【特許文献２】特開２０１１−０７２３００
【特許文献３】再表２００２−０８９５７０
【発明の概要】
【発明が解決しようとする課題】
【０００４】
しかしながら、野獣電撃用電気柵や電気柵用衝撃高圧発生装置では、有害獣が裸電線や導電部に接触した際に電気ショックを与えることで撃退効果は期待できるものの、有害獣を確実に捕獲して駆除することができる方法とは言い難かった。また、鼠駆除用電撃シートは、高電圧を印加するための電極が露出しているとはいえ不連続なものであることには変わりがないことから、俊敏に動く鼠を該シート面上で確実に感電させて、捕獲・駆除することがやはり難しいという問題があった。また、仮に捕獲できた場合でもこれを駆除するにはとどめを刺すための止め刺しを要するが安全面で疑問があった。
本発明の目的は、有害獣に効率的に電撃を与えて確実に捕殺し、安全に駆除することができる有害獣捕獲装置および捕獲方法を提供することにある。
【課題を解決するための手段】
【０００５】
本発明者らは、上記課題を解決するため鋭意検討した結果、本発明に到達した。すなわち、本発明は、正または負の電極となる導電性床からなる有害獣の進入場（Ａ）、（Ａ）の外縁に配設された餌入り容器からなる餌場（Ｂ）、負または正の電極となる電気銛（Ｃ）、および通電設備（Ｄ）を備え、有害獣が（Ａ）に進入して（Ｂ）の餌を摂取する際に（Ｃ）を有害獣の身体標的に撃ち込み通電設備（Ｄ）により通電することを特徴とする、電撃による有害獣捕獲装置である。                
【発明の効果】
【０００６】
本発明の有害獣捕獲装置および捕獲方法は下記の効果を奏する。
（１）有害獣に効率的に電撃を与えて確実に捕殺できる。
（２）仮死または死んだ状態で捕獲できるため改めての止め刺しの必要がなく安全に駆除できる。
【発明を実施するための形態】
【０００７】
[有害獣の進入場（Ａ）]
有害獣の進入場（Ａ）は、後述の通電設備（Ｄ）における正または負の電極となる導電性床からなる。導電性床の素材は導電性のものであればとくに限定されることはなく、該素材としては各種金属（ステンレス、アルミニウム等）およびこれらを含有、塗布または張り付けた各種非金属が挙げられる。
【０００８】
導電性床の性状としてはシート状、板状、網状またはこれらの組み合わせのいずれでもよい。該組み合わせとしては、シート状や板状の導電性床と網状の導電性床との組み合わせが挙げられる。有害獣が餌を摂取時に有害獣の足部を確実に捕捉できるという観点から好ましいのは、シート状や板状のものと網状との組み合わせであり、該網状のものは有害獣の足部が入り込む格子幅のものであることが好ましい。該組み合わせでは、シート状や板状床の上の網の格子内に有害獣が立って餌場（Ｂ）の餌を摂取する際に、網状の導電性床を電気的手段で上あるいは横方向に移動および／または斜めに傾斜させることにより有害獣の足部を拘束して身動きできないようにすることができる。後述のように負または正の電極となる電気銛（Ｃ）を有害獣の身体標的に撃ち込むとともに、有害獣の足部を上記のように拘束した後に通電設備（Ｄ）により通電することで有害獣に確実に電撃を与えて捕獲することができる。
【０００９】
前記シート状や板状の床と組み合わせる網状の導電性床は、１枚のみでもよいが、２枚またはそれ以上の複数枚を重ねて使用してもよい。重ねて使用する場合は、たとえばそのうちの１枚の網を電気的手段で横にずらせることにより網の格子に入り込んでいる有害獣の足部を容易に拘束することができる。なお、導電性床の下には作業者等の感電防止の観点から電気絶縁シートを敷設しておくことが望ましい。電気絶縁シートの素材としては、不導体である各種プラスチック、ゴム等が挙げられる。
【００１０】
進入場（Ａ）の平面形状はとくに限定されることはなく、円形、楕円形、長方形、三角形等、いずれでもよい。
【００１１】
進入場（Ａ）は、有害獣の進入を促しやすいとの観点から、さらに泥水で覆われたヌタ場としてもよい。ヌタ場はイノシシやシカなどの動物が、体表に付いているダニ等の寄生虫や汚れを落とすために泥を浴びる場所としてよく知られている。進入場（Ａ）をヌタ場とするためには、たとえば泥水が溜まるような凹地に、まず前記電気絶縁シートを敷き、その上に前記導電性床を敷き、ここに泥水を溜めてヌタ場とする方法が挙げられる。
【００１２】
有害獣を進入場（Ａ）に誘い込む手段としては、進入場（Ａ）の外縁（または奥側）に配設された後述の餌場（Ｂ）の餌の種類や臭い等が挙げられるが、有害獣を進入場（Ａ）に効率的に誘導するための誘導路にも工夫を加えることが望ましい。たとえば誘導路の左右の柵としては、動物が触れた際に軽度の電気ショックを与える機構を付加した柵として一般に知られる電気柵や、進入場（Ａ）の方向へは押し開けて進めるが逆進することはできない逆止扉等を設置する工夫等が挙げられる。
電気柵は、最終的には有害獣を確実に餌場（Ｂ）の方向に誘導するのが目的であるため接触による有害獣の忌避効果さえあればよく、市販品としてはたとえば「防獣くんソーラ５０００猪用セット」[商品名、ネクストアグリ（株）製]が挙げられる。
【００１３】
［餌場（Ｂ）］
餌場（Ｂ）は、進入場（Ａ）の外縁（または奥側）に配設され、餌入り容器からなる。餌を求めて進入場（Ａ）に入り込んだ有害獣は（Ａ）の導電性床に立って餌場（Ｂ）の餌を摂取することになる。餌の種類としては、有害獣が好むものであればとくに限定されることはない。餌の大きさ、形状としては、有害獣が摂取しやすい大きさの塊状のものが好ましい。
【００１４】
また、餌の性状として好ましいのは塊状の餌が雨水で溶解しない非水溶性のもの、雨水で細かく分散してしまわない水非分散性のもの、およびこれら両方の特性を有するものである。これらのうち雨水に晒されても溶解することなく塊状の形がほぼ保持されて有害獣が餌を見つけやすいとの観点からさらに好ましいのは非水溶性の餌、および非水溶性かつ水非分散性の餌である。
【００１５】
餌には、摂取後に有害獣の動作を鈍らせる低級アルコールや、有害獣を餌場（Ｂ）に誘引する誘引剤を含有させてもよい。
低級アルコールとしては酒粕等にも含まれるエタノール等が挙げられる。
誘引剤としては、トリュフ、チョウジ、ニンニク臭成分、メチルメルカプタン、性誘引物質（フェロモン）等が挙げられる。トリュフはイノシシ等の好物とされるキノコであり、チョウジはフトモモ科植物チョウジノキの主に開花前の花蕾を乾燥させて得られる香辛料である。ニンニク臭成分としてはアリルメルカプタン、ビス（メチルチオ）メタン、アリルメチルスルフィド、ジアリルジスルフィド等が挙げられる。性誘引物質（フェロモン）としては、イノシシのメスを誘引する５−アルファアンドロストール等が挙げられる。
【００１６】
非水溶性かつ水非分散性の餌としてはたとえば次のようにして製造されるアルギン酸ナトリウム餌が挙げられる。
＜アルギン酸ナトリウム餌の製造例＞
ポリエチレン製袋中で、アルギン酸ナトリウム水溶液（濃度０．５〜２重量％）１００部に糠および／または酒粕４０〜６０部を混ぜてスラリー物とする。ポリエチレン製袋の一部に小さな穴を開け、ここからスラリー物を塩化カルシウム水溶液（濃度４〜８重量％）中に間欠的に押し出して多数の塊状ゲル化物（アルギン酸ナトリウムのＣａイオン架橋ゲル）を得る。これを乾燥して塊状のアルギン酸ナトリウム餌（非水溶性かつ水非分散性）とすることができる。
【００１７】
前記アルギン酸ナトリウム餌中の酒粕成分にはエタノール等の低級アルコールが含まれるため餌を摂取した有害獣の行動を鈍らせる効果を餌に持たせることができる。また、酒粕に代えてあるいは酒粕とともに前記の誘引剤を加えることにより餌に誘引効果を持たせることもできる。
【００１８】
餌場（Ｂ）は、進入場（Ａ）の外縁（または奥側）に設けられ、（Ｂ）には有害獣１頭ずつ用に１個の餌入り容器が固定設置される。（Ａ）から進入した有害獣の１頭ずつが１個の容器ごとに餌を摂取するように誘導するべく、容器に向かう有害獣１頭ずつの左右両側の位置に電気柵（または誘導柵）が設けられる。進入場（Ａ）は前記のとおり凹地に設けられるため、進入場（Ａ）と餌場（Ｂ）の境目には段差がある。しかしながら、有害獣は段差を越えて餌場（Ｂ）に踏み込む恐れがあるため、さらに、（Ａ）と（Ｂ）の境目に格子柵を設けるのが望ましい。該格子柵は、有害獣の餌場（Ｂ）への踏み込みを防止し、かつ有害獣が頭部を格子間から突き出して容器内の餌を摂取できる仕様のものとする。なお、進入場（Ａ）の外縁に設けられる餌場（Ｂ）は必要により複数配設することができ、付随する餌入り容器、電気柵、格子柵、および後述の電気銛（Ｃ）、監視カメラ（Ｅ）、電灯（Ｆ）等は餌場（Ｂ）ごとに同様に設置される。
【００１９】
上記のように進入場（Ａ）および餌場（Ｂ）を配設することにより、（Ａ）から進入した有害獣１頭または複数頭が電気柵（または誘導柵）に沿って餌場（Ｂ）の手前にまで達し、各餌場（Ｂ）の格子間から頭部を突き出して餌入り容器の餌を摂取することになる。餌入り容器は、そのごく近辺から餌を摂取中の有害獣の身体標的（主に鼻部）を確実に狙って撃ち込まれる後述の電気銛（Ｃ）や、後述の監視カメラ（Ｅ）を予め設置しておく必要から、有害獣が餌を摂取する際に容易には動かないように固定設置されることが望ましい。
【００２０】
［電気銛（Ｃ）］
電気銛（Ｃ）は、後述の通電設備（Ｄ）において負または正の電極を構成し、餌を摂取中の有害獣の身体標的に撃ち込まれるものである。電気銛（Ｃ）を撃ち込む動力源としては、加圧空気、バネ、ゴム等の機械的なものが挙げられる。電気銛（Ｃ）は、これらの動力源を用いる撃ち込み準備が完了した状態で所定の位置に設置される。電気銛（Ｃ）は後述の通電設備（Ｄ）を構成する一要素として他の要素と電気ケーブルで接続されており、後述の監視カメラ（Ｅ）からの電気信号情報を受け、電気的手段で上記の機械的動力源を通じて自動的にまたは人為的に有害獣に撃ち込まれる。
【００２１】
すなわち、監視カメラ（Ｅ）と通電設備（Ｄ）が電気ケーブルで繋がっている場合は
（Ｅ）からの電気信号を受け通電設備（Ｄ）を通じて自動的に電気銛（Ｃ）が撃ち込まれ；（Ｅ）と（Ｄ）が電気ケーブルで繋がっていない場合は、監視カメラ（Ｅ）のモニターを別棟等で待機する管理者が視認しその判断に基づいて通電設備（Ｄ）を通じて人為的に電気銛（Ｃ）が撃ち込まれる。
【００２２】
電気銛（Ｃ）を撃ち込まれた瞬間の通電による電撃で有害獣は仮死または死に至ることになる。電気銛（Ｃ）が撃ち込まれる有害獣の身体標的としては、鼻部、内臓部および足部等が挙げられるが、電撃効果の観点から電気抵抗が比較的低いとされる鼻部が好ましい。電気銛（Ｃ）は、餌を摂取する有害獣の接近が後述のように監視カメラ（Ｅ）で感知されるに伴い、有害獣の身体標的に向けて撃ち込まれる手段を備えたものとなっている。
【００２３】
予め設置された電気銛（Ｃ）に、餌を摂取する有害獣が接近する様子は後述の監視カメラ（Ｅ）で観察される。最接近した直後に電気銛（Ｃ）が有害獣の身体標的、とくに鼻部に撃ち込まれるが、その方法としては自動撃ち込み法および人為的撃ち込み法の二通りが挙げられる。すなわち、監視カメラが有害獣の身体標的の最接近を感知すると電気銛（Ｃ）を撃ち込む電気信号を自動的に発信する方法、および監視カメラのモニターを観察しながら有害獣の身体標的の最接近の瞬間を捉え、別棟等で待機する管理人がスイッチを入れて電気銛（Ｃ）を撃ち込む電気信号を人為的に発信する方法である。自動撃ち込み法の場合は、監視カメラ（Ｅ）が予め有害獣の身体標的を画像認識できる機能を備えていることが必要となる。これらのうち、常時撃ち込み態勢にあってタイミングよく確実に有害獣に電撃を与えられるとの観点から好ましいのは自動撃ち込み法である。
【００２４】
電気銛（Ｃ）は、有害獣の足以外の部位に打ち込めばとくに問題はないが、電気抵抗が比較的低いとの観点から鼻部への撃ち込みが望ましい。従って、電気銛（Ｃ）は餌摂取中の有害獣の鼻部を身体標的として狙える、前記餌入り容器奥の正面に設置される。  また、電気銛（Ｃ）は、１頭の有害獣ごとに確実に電撃を与えて捕殺するとの観点から、２基またはそれ以上の複数基を設置するか、または、１基であれば連射できるタイプのものが望ましい。
【００２５】
電気銛は、一般的には捕鯨用として知られており、本発明における電気銛（Ｃ）は機構的にはこれに類似したものである。捕鯨用のものは、捕鯨の際、電流を通じてクジラを感電死させるために用いられる。具体的には、銛綱の中に完全な絶縁物で被覆された電線を装備して捕鯨船内の発電機に通じておく。銛がクジラの身体に撃ち込まれた際、発電機から銛綱、銛、クジラの身体、口腔粘膜、海水、船外に出された電気極板の順に電気回路が形成されてクジラに電撃が与えられることにより、クジラを麻痺させ効率的に捕獲できるとされる。
【００２６】
［通電設備（Ｄ）］
通電設備（Ｄ）は、本発明の有害獣捕獲装置の電気系統を構成する各種要素に通電し、それらを稼働・制御する設備である。該各種要素には、誘導路・進入場（Ａ）・餌場（Ｂ）等の左右両側の電気柵、進入場（Ａ）の導電性床、電気銛（Ｃ）、後述の監視カメラ（Ｅ）および後述の電灯（Ｆ）等が含まれる。通電設備（Ｄ）は、電源、インバータ、変圧器、通電制御器、正または負極の各端子およびこれらを接続する電気ケーブルから構成される。
【００２７】
電源としては、家庭用１００Ｖ電源、バッテリー、太陽電池、水力発電装置、コンデンサー等が挙げられる。有害獣に電撃ショックを与えて捕殺するには、通電設備（Ｄ）による通電が好ましくは２５〜１５０ｍＡ、さらに好ましくは３０〜１００ｍＡの電流が必要とされる。これらの電源のうち、任意の場所での随時の使用が容易との観点から好ましいのはバッテリーである。
【００２８】
バッテリーの市販品としては、高性能シールドバッテリー[商品名「１２Ｖ２０Ａｈ  Ｌｏｎｇ  ＷＰ２０−１２」、バイクパーツセンター（株）製]、高性能ゲルタイプバッテリー[商品名「ＢＧ７Ｌ−ＢＳ」、駆（ｋａｋｅｒｕ）（株）製]等が挙げられる。
【００２９】
インバータは、バッテリーの直流を交流に変換する装置で一般的にはＤＣ−ＡＣインバータと呼ばれる。交流を直流に変換するＡＣ−ＤＣコンバータと、ＤＣ−ＡＣインバータを組み合わせて任意の周波数と電圧に変換することができる。インバータの市販品としては、ＢＡＬ３ＷＡＹインバータ[商品名「２００Ｗ１７５７」、大橋産業（株）製]等が挙げられる。
【００３０】
変圧器は、家庭用電源１００Ｖの電圧を２００Ｖ等に高圧化する際に使用される。変圧器の市販品としては、昇圧用変圧器[商品名「パワートランスＪＰＴ−３０」、ジョイフル（株）製、商品名「昇圧用単相単巻変圧器ＵＰ−３００」、スワロー電機（株）製]等が挙げられる。
【００３１】
正または負極の端子については、導電性床および電気銛（Ｃ）がそれらに該当し、該導電性床および電気銛（Ｃ）は電気ケーブルで通電設備（Ｄ）の電気系統に組み込まれる。
【００３２】
通電制御器は、有害獣の身体標的の最接近を感知して、後述の監視カメラ（Ｅ）が電気信号を自動的に発信する場合、または、別棟等で待機する管理者が人為的にスイッチを入れて電気信号を発信する場合のいずれにおいても該電気信号を受信して電気銛（Ｃ）を有害獣に撃ち込む指令機能を有することが必要である。
【００３３】
進入場（Ａ）の導電性床に網状床（有害獣の足部が入り込む格子幅を有するもの）を用いる場合は、該網状床を上あるいは横方向に移動および／または斜めに傾斜させることにより有害獣の足部を拘束して身動きできないようにする電気信号を発信する機能を通電設備（Ｄ）が備える必要がある。
【００３４】
［監視カメラ（Ｅ）］
本発明における監視カメラ（Ｅ）としては、赤外線カメラおよび暗視カメラ等が挙げられる。赤外線カメラは、赤外線に感度を持つカメラで、光のない暗い場所でも赤外線に反応したものを白黒で映像を写し出すカメラである。
暗視カメラは、高感度カメラとも言われ、まったく光がない場合は機能の発揮は不可であるものの、ごくわずかでも光さえあれば光に対する感度を増幅させることにより映像を写し出すことができるカメラである。
【００３５】
監視カメラ（Ｅ）の市販品のうち、赤外線カメラとしては、「ＲＤ−ＣＡ２１３ＡＨＤカメラ」[商品名、（株）アルコム製]、「ムービーカメラＺ−ＡＶ−ＴＫＭ１０８０Ｐ」[商品名、Ｊｏｙｆｕｌ  Ｃａｍｅｒａ（株）製]等、また、暗視カメラとしては、「小型カメラワイヤレス１０８０Ｐ」[商品名、ＦＲＥＤＩ（株）製]、「ＩＭＳ−３０００Ｒ」[商品名、キャロットシテムズ（株）製]等が挙げられる。
【００３６】
本発明における監視カメラ（Ｅ）は、進入場（Ａ）から餌場（Ｂ）の全体が見渡せる位置で前記誘導路の入口付近に少なくとも１台が設置され、さらに有害獣１頭ずつが各餌入り容器ごとに電気銛（Ｃ）に最接近するタイミングを捉える位置、すなわち電気銛（Ｃ）に隣接する位置に各１台またはそれ以上の複数台ずつが設置される。
【００３７】
本発明における監視カメラ（Ｅ）には、進入場（Ａ）に進入した有害獣の監視映像を別棟等の管理場所におけるテレビモニターに常時映し出すだけのタイプ（１）、および、タイプ（１）の機能に加え、さらに画像認識機能を有するタイプ（２）が含まれる。前記誘導路の入口付近にはタイプ（１）のものが設置され、有害獣が電気銛（Ｃ）に最接近するタイミングを捉える位置にはタイプ（１）または（２）のものが設置される。
【００３８】
前記タイプ（２）の監視カメラ（Ｅ）は、電気銛（Ｃ）の身体標的となる有害獣のたとえば鼻部の画像認識機能を備え、身体標的の最接近を感知して電気銛（Ｃ）を自動的に身体標的に撃ち込む電気信号を通電設備（Ｄ）に発信する機能を有する。
監視カメラ（Ｅ）がタイプ（１）の場合は、別棟等で待機する管理人が電気銛（Ｃ）を撃ち込むタイミングを判断することになり、タイプ（２）の場合は電気銛（Ｃ）は管理人の判断が関与することなく自動的に有害獣の身体標的に撃ち込まれる。
【００３９】
[電灯（Ｆ）]
本発明の捕獲装置においては電灯（Ｆ）を設置してもよい。有害獣は暗闇の中では明かりを求めて行動する習性があるとされ、電灯を設置してとくに餌場（Ｂ）付近を照らすことで有害獣を誘引できる可能性がある。電灯（Ｆ）は、有害獣１頭ずつ用の各餌入り容器を照らし出せる位置として前記餌場（Ｂ）近傍の電気柵（または誘導柵）支柱の上部に取り付けるか、餌入り容器の上方に吊り下げ設置するのが望ましい。
【実施例】
【００４０】
以下、本発明の有害獣捕獲装置の一実施例の構成および動作について、図面を参照しつつ説明する。本発明はこの実施例に限定されるものではない。
図１は本発明の一実施例による、有害獣捕獲装置の概略構成を示す全体の平面図；図２は同じく全体の側面図；図３は有害獣捕獲装置の進入場のＡ−Ａにおける断面図；図４は電気銛関連の構成図である。以下において図番号以外の数字は図中の符号を示す。
【００４１】
図１、２において、１逆止扉や２電気柵を設けた３誘導路を進入してきた有害獣は、３誘導路の入口付近に設置された１０監視カメラ（Ｅ）でその動きが捉えられる。有害獣はまず凹地に設けられた４進入場（Ａ）に入る。図３において、４進入場（Ａ）には、１１電気絶縁シートの上に正または負の電極となる１２導電性床（シート状）および１３導電性床（網状）が重ねて敷かれ、該４進入場（Ａ）はさらに泥水で覆われて１４ぬた場を形成している。網状の導電性床の網目の格子幅は有害獣の足部が入り込む幅である。
【００４２】
有害獣は４進入場（Ａ）の内をさらに奥側へと前進し、４進入場（Ａ）の外縁（または奥側）に配設された、７餌入り容器のある６餌場（Ｂ）の手前に至る。６餌場（Ｂ）はその上方の８電灯（Ｆ）で照らし出されている。凹地の４進入場（Ａ）と６餌場（Ｂ）の間には５格子柵が設けられる。有害獣は４進入場（Ａ）側に立ったまま、６餌場（Ｂ）に足を踏み入れることなく５格子柵の格子間から頭部を突き出して７餌入り容器の餌を摂取する。餌は、前記アルギン酸ナトリウム餌で、該餌には有害獣を誘引する誘引剤トリュフ、および摂取後に有害獣の動作を鈍らせるエタノールを含有する酒粕を混ぜ込んだものを用いる。
【００４３】
６餌場（Ｂ）の奥側には９電気銛（Ｃ）が固定的に設置され、通電設備（Ｄ）の制御器とは電気ケーブルで接続されている。９電気銛（Ｃ）の傍には１０監視カメラ（Ｅ）が隣接して設置され、有害獣が４進入場（Ａ）の１２、１３導電性床上に立って餌を摂取する状況を監視できるようになっている。該１０監視カメラ（Ｅ）は、９電気銛（Ｃ）を撃ち込む標的となる有害獣のたとえば鼻部の画像認識機能を備え、有害獣の身体標的が９電気銛（Ｃ）に最接近するタイミングを感知すると通電設備（Ｄ）の制御器に電気信号を発信して９電気銛（Ｃ）を自動的に有害獣に撃ち込む。
【００４４】
９電気銛（Ｃ）が有害獣の身体標的に撃ち込まれるとともに、すなわち有害獣の身体標的への撃ち込みと同時、またはその直前もしくは直後に、４進入場（Ａ）の１３導電性床（網状）を、通電設備（Ｄ）の制御器を通じて、上あるいは横方向に移動および／または斜めに傾斜させることにより有害獣の足部を拘束して身動きできないようにして確実に捕殺することができる。
【図面の簡単な説明】
【００４５】
【図１】有害獣捕獲装置の概略構成を示す全体の平面図である。
【図２】有害獣捕獲装置の概略構成を示す全体の側面図である。
【図３】有害獣捕獲装置（上記図１）における進入場のＡ−Ａにおける断面図である。
【図４】電気銛関連の構成図である。
【符号の説明】
【００４６】
１  逆止扉 
２  電気柵
３  誘導路
４  進入場
５  格子柵
６  餌場  
７  餌入り容器
８  電灯
９  電気銛
１０  監視カメラ
１１  電気絶縁シート
１２  導電性床（シート状）
１３  導電性床（網状）
１４  ヌタ場（泥水あり）
１５  電気ケーブル
【産業上の利用可能性】
【００４７】
本発明の有害獣捕獲装置は、有害獣に効率的に電撃を与えて確実に捕殺し、安全に駆除することができることから極めて有用である。
【図１】
2019135955.tif 000003
【図２】
2019135955.tif 000004
【図３】
2019135955.tif 000005
【図４】
2019135955.tif 000006